(57)【要約】【課題】  シーケンスの自由度を向上させることができるとともに、キャリッジロック部材の強度を容易に確保することのできるキャリッジロック装置を低コストに構成する。【解決手段】  キャリッジ３３をロック状態とするキャリッジロック装置２９は、キャリッジ３３の一部に設けられる被係止部３３ｄと、被係止部３３ｄを係止することでキャリッジ３３をロック状態とする係止部３２ａ（キャリッジロック部材３２）を備えている。被係止部３３ｄは、キャリッジ３３においてホームポジション側に臨む側壁３３ａの側に設けられ、これによって係止部３２ａをキャリッジ３３の主走査領域の外側に配置することができ、キャリッジ３３の動作を阻害することがない。【選択図】図６
2006218686.tif 000002
【特許請求の範囲】
【請求項１】
被記録媒体に記録を行う記録ヘッドを備えるとともに主走査方向に往復動可能なキャリッジをロック状態とするキャリッジロック装置であって、
前記キャリッジの一部に設けられる被係止部と、
前記被係止部を係止することで前記キャリッジをロック状態とする係止部を備えるとともに、前記係止部が前記被係止部を係止する係止状態と前記係止部が前記被係止部を係止しない非係止状態とを切り換え可能に設けられたキャリッジロック部材とを備え、
前記被係止部が、記録領域側に臨む側壁とホームポジション側に臨む側壁とを有する前記キャリッジにおいて前記ホームポジション側に臨む側壁の側に設けられている、
ことを特徴とするキャリッジロック装置。
【請求項２】
請求項１において、前記キャリッジを主走査方向にガイドするキャリッジガイド軸が回動可能に設けられ、
前記キャリッジロック部材が、前記キャリッジガイド軸に取り付けられるとともに前記キャリッジガイド軸と一体に回動することで、前記係止状態と前記非係止状態とを切り換えるように設けられている、
ことを特徴とするキャリッジロック装置。
【請求項３】
請求項１において、前記キャリッジを主走査方向にガイドするキャリッジガイド軸の軸芯の位置を変位させることにより、被記録媒体と前記記録ヘッドとの間のギャップを調節するギャップ調節手段を備え、
前記ギャップ調節手段は、前記キャリッジガイド軸を回動させることで、前記キャリッジガイド軸の軸芯位置を変位させるよう構成され、
前記キャリッジロック部材が、前記キャリッジガイド軸に取り付けられるとともに前記キャリッジガイド軸と一体に回動することで、前記係止状態と前記非係止状態とを切り換えるように設けられている、
ことを特徴とするキャリッジロック装置。
【請求項４】
請求項２または３において、前記キャリッジガイド軸の軸端が、軸方向視において略Ｄ形の形状を成す様に切り欠いて形成されており、
前記キャリッジロック部材が、前記キャリッジガイド軸の軸端に嵌合するように平面視において略Ｄ形の形状を成す嵌合穴を有するリング状部材である、
ことを特徴とするキャリッジロック装置。
【請求項５】
被記録媒体に記録を行う記録ヘッドと、
前記記録ヘッドを備えるとともに主走査方向に往復動可能なキャリッジと、
前記キャリッジをロック状態とする、請求項１または２に記載された前記キャリッジロック装置と、
を備えていることを特徴とする記録装置。
【請求項６】
被記録媒体に記録を行う記録ヘッドと、
前記記録ヘッドを備えるとともに主走査方向に往復動可能なキャリッジと、
前記キャリッジを主走査方向にガイドするキャリッジガイド軸と、
前記キャリッジをロック状態とする、請求項３または４に記載された前記キャリッジロック装置と、
を備えていることを特徴とする記録装置。
【請求項７】
請求項６において、前記ギャップ調節手段が、駆動モータの動力によって前記キャリッジガイド軸を回動させるよう構成されている、
ことを特徴とする記録装置。
【請求項８】
被噴射媒体に液体噴射を行う液体噴射ヘッドと、
前記液体噴射ヘッドを備えるとともに主走査方向に往復動可能なキャリッジと、
前記キャリッジをロック状態とするキャリッジロック装置と、を備えた液体噴射装置であって、
前記キャリッジロック装置が、前記キャリッジの一部に設けられる被係止部と、
前記被係止部を係止することで前記キャリッジをロック状態とする係止部を備えるとともに、前記係止部が前記被係止部を係止する係止状態と前記係止部が前記被係止部を係止しない非係止状態とを切り換え可能に設けられたキャリッジロック部材とを備え、
前記被係止部が、液体噴射領域側に臨む側壁とホームポジション側に臨む側壁とを有する前記キャリッジにおいて前記ホームポジション側に臨む側壁の側に設けられている、
ことを特徴とする液体噴射装置。
【発明の詳細な説明】
【技術分野】
【０００１】
被記録媒体に記録を行う記録ヘッドを備えるとともに主走査方向に往復動可能なキャリッジをロック状態とするキャリッジロック装置およびこれを備えた記録装置に関する。また、本発明は液体噴射装置に関する。
【０００２】
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
Ｆａｘ、プリンタ等に代表される記録装置においては、記録ヘッドを備えるとともに主走査方向に往復動可能なキャリッジをロック状態とするキャリッジロック装置が設けられている。特許文献１に示されたキャリッジロック装置はその一例であり、当該キャリッジロック装置は、キャリッジの軌道（往復動領域）に出没可能なキャリッジロックピン（キャリッジロック部材）を有し、当該キャリッジロックピンは排紙ローラの回転軸に摩擦クラッチを介して取り付けられ、排紙ローラの正転方向および逆転方向への回転に伴って揺動することで、キャリッジの軌道に出没するよう設けられている。
【０００４】
【特許文献１】特開２００３−２１１８００号公報
【発明の開示】
【発明が解決しようとする課題】
【０００５】
上記従来のキャリッジロック装置において、上記キャリッジロックピンは、排紙ローラの回転軸に取り付けられていた。つまり、上記従来のキャリッジロック装置において、上記キャリッジロックピンは、キャリッジの往復動領域の内側に位置していた。  
従って例えば、キャリッジをキャリッジロックピンの配設位置を跨いでホームポジションから記録領域側へ移動させる際、或いはその逆に記録領域側からホームポジションへ移動させる際には、上記キャリッジロックピンがキャリッジの軌道から退避した状態にあるように、排紙ローラを制御する必要がある。つまり、キャリッジの移動に際して給排紙手段を適切に駆動制御する必要が生じるので、用紙を給排紙する際のシーケンスの自由度を狭める要因となっていた。
【０００６】
また、従来のキャリッジロックピンは上記特許文献１に示されるように、排紙ローラの回転軸からキャリッジに向かって延びるような形状を成していることから、強度を確保し難いという欠点を有している。より詳しくは、例えば記録装置を落下させた場合にキャリッジがロック状態を維持できるようにするためには、記録装置の落下時にキャリッジロックピンがキャリッジから受ける力に耐え得るように構成しなければならない。ここで、記録装置の落下時にキャリッジロックピンがキャリッジから受ける力は極めて大きいが、一方でキャリッジロックピンは排紙ローラの回転軸からキャリッジに向かって延びるように長く形成しなければならず、強度が確保し難かった。また、強度を確保するためには、キャリッジロックピンを大型化する必要があり、装置の大型化を招来する。  
加えて、キャリッジロックピンは摩擦クラッチを介して排紙ローラの回転軸に取り付けられることから、上記摩擦クラッチのためにコストアップを招いていた。
【０００７】
そこで本発明はこの様な状況に鑑みなされたものであり、その目的は、シーケンスの自由度を向上させることができるとともに、キャリッジロック部材の強度を容易に確保することのできるキャリッジロック装置を、低コストに構成することにある。
【課題を解決するための手段】
【０００８】
上記課題を解決するために、本発明の第１の態様は、被記録媒体に記録を行う記録ヘッドを備えるとともに主走査方向に往復動可能なキャリッジをロック状態とするキャリッジロック装置であって、前記キャリッジの一部に設けられる被係止部と、前記被係止部を係止することで前記キャリッジをロック状態とする係止部を備えるとともに、前記係止部が前記被係止部を係止する係止状態と前記係止部が前記被係止部を係止しない非係止状態とを切り換え可能に設けられたキャリッジロック部材とを備え、前記被係止部が、記録領域側に臨む側壁とホームポジション側に臨む側壁とを有する前記キャリッジにおいて前記ホームポジション側に臨む側壁の側に設けられていることを特徴とする。
【０００９】
上記態様によれば、キャリッジロック部材によって係止される被係止部が、記録領域側に臨む側壁とホームポジション側に臨む側壁とを有する前記キャリッジにおいて前記ホームポジション側に臨む側壁の側に設けられているので、キャリッジロック部材をキャリッジの往復動領域の端部或いは外側に配置することができる。従ってこれにより、キャリッジは一旦キャリッジロック部材によるロック状態が解除されて記録領域側へ移動してしまえば、その後はキャリッジロック部材の存在に関係なく自由に往復動領域内を往復動することができる。従ってこれにより、シーケンスの自由度を向上させることができる。  
また、キャリッジに近接する位置にキャリッジロック部材を配置することができるので、被係止部を係止する係止部を、キャリッジから遠い位置からキャリッジまで延びるように長く形成する必要がなく、係止部（キャリッジロック部材）の大型化を伴わずに、容易に係止部（キャリッジロック部材）の強度を確保することができる。
【００１０】
本発明の第２の態様は、上記第１の態様において、前記キャリッジを主走査方向にガイドするキャリッジガイド軸が回動可能に設けられ、前記キャリッジロック部材が、前記キャリッジガイド軸に取り付けられるとともに前記キャリッジガイド軸と一体に回動することで、前記係止状態と前記非係止状態とを切り換えるように設けられていることを特徴とする。
【００１１】
本態様によれば、前記キャリッジを主走査方向にガイドするキャリッジガイド軸が回動可能に設けられ、前記キャリッジロック部材が、前記キャリッジガイド軸に取り付けられるとともに前記キャリッジガイド軸と一体に回動することで、前記係止状態と前記非係止状態とを切り換えるように設けられているので、構造簡単にして且つ低コストにキャリッジロック装置を構成することができる。
【００１２】
本発明の第３の態様は、上記第１の態様において、前記キャリッジを主走査方向にガイドするキャリッジガイド軸の軸芯の位置を変位させることにより、被記録媒体と前記記録ヘッドとの間のギャップを調節するギャップ調節手段を備え、前記ギャップ調節手段は、前記キャリッジガイド軸を回動させることで、前記キャリッジガイド軸の軸芯位置を変位させるよう構成され、前記キャリッジロック部材が、前記キャリッジガイド軸に取り付けられるとともに前記キャリッジガイド軸と一体に回動することで、前記係止状態と前記非係止状態とを切り換えるように設けられていることを特徴とする。
【００１３】
上記態様によれば、キャリッジを主走査方向にガイドするキャリッジガイド軸を回動させることで、キャリッジガイド軸の位置、つまり記録ヘッドと被記録媒体との間のギャップ（以下「ＰＧ」と言う）を調節可能に構成されている。そして、前記キャリッジロック部材が、前記キャリッジガイド軸に取り付けられるとともに前記キャリッジガイド軸と一体に回動することで、前記係止状態と前記非係止状態とを切り換えるように設けられているので、上記のようなＰＧの調節手段を利用して、摩擦クラッチ等を必要とせずに極めて低コストにキャリッジロック部材を配設することができる。
【００１４】
本発明の第４の態様は、上記第２または第３の態様において、前記キャリッジガイド軸の軸端が、軸方向視において略Ｄ形の形状を成す様に切り欠いて形成されており、前記キャリッジロック部材が、前記キャリッジガイド軸の軸端に嵌合するように平面視において略Ｄ形の形状を成す嵌合穴を有するリング状部材であることを特徴とする。  
上記態様によれば、略Ｄ形の形状を成すキャリッジガイド軸の軸端と、キャリッジロック部材の嵌合穴との嵌合によって、キャリッジロック部材をキャリッジガイド軸に対して回転しないよう固定する（位相を定める）と同時に、キャリッジロック部材を前記キャリッジガイド軸の軸線方向に移動しないように、つまりキャリッジをロック状態に保持することができるように、キャリッジロック部材をキャリッジガイド軸に取り付けることができる。以上により、キャリッジロック装置を簡単な構成によって低コストに構成することができる。
【００１５】
本発明の第５の態様は、被記録媒体に記録を行う記録ヘッドと、前記記録ヘッドを備えるとともに主走査方向に往復動可能なキャリッジと、前記キャリッジをロック状態とする、上記第１のまたは第２の態様に記載された前記キャリッジロック装置とを備えていることを特徴とする。  
上記態様によれば、記録装置において、上述した第１のまたは第２の態様と同様な作用効果を得ることができる。
【００１６】
本発明の第６の態様は、被記録媒体に記録を行う記録ヘッドと、前記記録ヘッドを備えるとともに主走査方向に往復動可能なキャリッジと、前記キャリッジを主走査方向にガイドするキャリッジガイド軸と、前記キャリッジをロック状態とする、上記第３のまたは第４の態様に記載された前記キャリッジロック装置とを備えていることを特徴とする。  
上記態様によれば、記録装置において、上述した第３のまたは第４の態様と同様な作用効果を得ることができる。
【００１７】
本発明の第７の態様は、上記第６の態様において、前記ギャップ調節手段が、駆動モータの動力によって前記キャリッジガイド軸を回動させるよう構成されていることを特徴とする。  
上記態様によれば、キャリッジガイド軸を駆動モータによって回動させることで被記録媒体と記録ヘッドとの距離を調節するよう構成されたギャップ調節手段を利用してキャリッジロック部材を回動させるので、キャリッジロック装置を低コストに構成することができる。
【００１８】
本発明の第８の態様は、被噴射媒体に液体噴射を行う液体噴射ヘッドと、前記液体噴射ヘッドを備えるとともに主走査方向に往復動可能なキャリッジと、前記キャリッジをロック状態とするキャリッジロック装置と、を備えた液体噴射装置であって、前記キャリッジロック装置が、前記キャリッジの一部に設けられる被係止部と、前記被係止部を係止することで前記キャリッジをロック状態とする係止部を備えるとともに、前記係止部が前記被係止部を係止する係止状態と前記係止部が前記被係止部を係止しない非係止状態とを切り換え可能に設けられたキャリッジロック部材とを備え、前記被係止部が、液体噴射領域側に臨む側壁とホームポジション側に臨む側壁とを有する前記キャリッジにおいて前記ホームポジション側に臨む側壁の側に設けられていることを特徴とする。
【発明を実施するための最良の形態】
【００１９】
以下、本発明の実施形態について図面を参照しながら説明する。以下では先ず、図１および図２を参照しながら、本発明に係る記録装置或いは液体噴射装置の一例としてのインクジェットプリンタ（以下「プリンタ」と言う）１の概要について説明する。ここで、図１はプリンタ１の装置本体（外装ケースを取り外した状態）の外観斜視図であり、図２は同側断面図である。尚、以下では、図２の右方向（プリンタ前方側）を用紙或いはトレイの搬送経路の「下流側」と言い、左方向（プリンタ後方側）を「上流側」と言うこととする。
【００２０】
プリンタ１は後部に「被記録媒体」、「被噴射媒体」の一例としての記録用紙（主として単票紙：以下「用紙Ｐ」と言う）を傾斜姿勢でセット可能な給送装置２を備え、当該給送装置２から、用紙Ｐを下流側の被記録媒体搬送手段４へ向けて給送する。給送された用紙Ｐは被記録媒体搬送手段４によって下流側の記録手段３へ搬送され、記録が実行される。そして記録手段３によって記録の行われた用紙Ｐは、下流側の被記録媒体排出手段５によって装置前方へ排出される。
【００２１】
尚、プリンタ１においては光ディスクＤをセット可能なセット部５２を有するトレイ５０を、被記録媒体搬送手段４によって搬送可能に構成されていて、記録手段３によってトレイ５０にセットされた光ディスクＤのラベル面へ記録を実行可能となっている。符号７はトレイ５０を支持するトレイガイドを示しており、トレイ５０はプリンタ１前方側から後方側に向けてトレイガイド７を介して差し込まれ、そして被記録媒体搬送手段４によって副走査送りされる。
【００２２】
以下、プリンタ１の用紙搬送経路上の構成要素について更に詳説する。給送装置２は、ホッパ１１と、給送ローラ１２と、リタードローラ１３と、戻しレバー１４とを備えて構成されている。  
ホッパ１１は板状体から成り、上部の揺動支点（図示せず）を中心に揺動可能に構成され、揺動することにより、ホッパ１１上に傾斜姿勢に支持された用紙Ｐを給送ローラ１２に圧接させ、または、給送ローラ１２から離間させる。給送ローラ１２は側面視略Ｄ形の形状を成し、その円弧部分によって圧接した最上位の用紙Ｐを下流側へ給送する一方で、用紙Ｐが給送された後の、被記録媒体搬送手段４による用紙Ｐの搬送中においては、搬送負荷を生じさせない様に図示する様にその平坦部が用紙Ｐと対向する様に制御される。
【００２３】
リタードローラ１３は、給送ローラ１２の円弧部分と圧接可能に設けられている。リタードローラ１３は用紙Ｐの重送が発生せずに、１枚だけ用紙Ｐが給送されている場合にはこの用紙Ｐに接して従動回転（図２の時計回り）し、用紙Ｐが給送ローラ１２とリタードローラ１３との間に複数枚存在する場合には、用紙間の摩擦係数が用紙Ｐとリタードローラ１３との間の摩擦係数よりも低いため、回転せずに停止した状態となる。従ってこれにより、給送されるべき最上位の用紙Ｐにつられて重送されようとする次位以降の用紙Ｐが、リタードローラ１３から下流側へ進まずに、重送が防止される。戻しレバー１４は回動可能に設けられていて、重送されようとした次位以降の用紙Ｐをホッパ１１上に戻す作用を奏する。
【００２４】
給送装置２と被記録媒体搬送手段４との間には、用紙Ｐの通過を検出する検出手段（図示せず）と、用紙Ｐの給送姿勢を形成するとともに用紙Ｐの給送ローラ１２への接触を防止して搬送負荷を軽減するガイドローラ２６が設けられている。尚、本実施形態においてガイドローラ２６は、紙案内上２４の上流側端部において自由回転可能に軸支されている。
【００２５】
給送装置２の下流側に設けられた被記録媒体搬送手段４は、モータによって回転駆動される搬送駆動ローラ３０と、該搬送駆動ローラ３０に圧接して従動回転する搬送従動ローラ３１とを備えて構成されている。搬送駆動ローラ３０は用紙幅方向に延びる金属軸の外周面に耐摩耗性粒子がほぼ均一に分散されて成る付着層を備えて成され、搬送従動ローラ３１は外周面がエラストマ等の低摩擦材料によって成され、搬送駆動ローラ３０の軸線方向に複数配設されている。
【００２６】
また、搬送従動ローラ３１は本実施形態では１つの紙案内上２４の下流側端部に２つ自由回転可能に軸支され、その紙案内上２４は、用紙幅方向に３つ、図１に示すように設けられている。また、紙案内上２４は軸２４ａがメインフレーム２３に軸支されることで、用紙搬送経路を側視して軸２４ａ中心に揺動可能に設けられるとともに、コイルばね２５によって、搬送従動ローラ３１が搬送駆動ローラ３０に圧接する方向に付勢されている。  
被記録媒体搬送手段４に到達した用紙Ｐは、搬送駆動ローラ３０と搬送従動ローラ３１とによってニップされた状態で搬送駆動ローラ３０が回転することにより、下流側の記録手段３へと搬送される。
【００２７】
記録手段３は、インクジェット記録ヘッド（以下「記録ヘッド」と言う）３６と、当該記録ヘッド３６と対向するように設けられる紙案内下３７とを備えて構成される。記録ヘッド３６はキャリッジ３３の底部に設けられ、当該キャリッジ３３は主走査方向に延びるキャリッジガイド軸３４にガイドされながら、図示しない駆動モータによって主走査方向に往復動する様に駆動される。また、キャリッジ３３は、複数色の各色毎に独立したインクカートリッジ３５を搭載し、記録ヘッド３６へとインクを供給する。
【００２８】
用紙Ｐと記録ヘッド３６との距離を規定する紙案内下３７には、記録ヘッド３６と対向する面にリブが形成されているとともに（図示せず）、インクを打ち捨てる凹部（図示せず）が形成されていて、用紙Ｐの端部から外れた領域に吐出するインクを前記凹部に打ち捨てることにより、用紙Ｐの端部に余白無く印刷を行う所謂フチ無し印刷が実行される。
【００２９】
ところで、キャリッジガイド軸３４は、図７に示すギャップ調節手段によって、その軸芯位置が変位するよう構成されている。ここで、図７はギャップ調節手段６０の正面図である。図７に示すように、キャリッジガイド軸３４は、メインフレーム２３に形成された鉛直方向に延びる案内溝６３を貫通するように設けられているため、鉛直方向の移動だけが許容され、水平方向への移動はできない状態となっている。キャリッジガイド軸３４の軸端には歯車６４と、ギャップ調節カム６１が取り付けられ、歯車６４が回動することによりキャリッジガイド軸３４およびギャップ調節カム６１が回動するようになっている。
【００３０】
そして、ギャップ調節カム６１に隣接してカムフォロアとして作用する固定ピン６２が設けられていて、このような構成により、図示しない駆動モータから歯車６４に回転駆動力が付与されると、ギャップ調節カム６１が回転駆動し、ギャップ調節カム６１の外周面と固定ピン６２との作用により、キャリッジガイド軸３４の軸芯位置が変位し、即ち用紙Ｐと記録ヘッド３６との間のギャップ（ＰＧ）が調節（切り換え）可能となる。
【００３１】
続いて、記録ヘッド３６の下流側には、ガイドローラ４３と、被記録媒体排出手段５が設けられている。ガイドローラ４３は用紙Ｐの紙案内下３７からの浮き上がりを防止して用紙Ｐと記録ヘッド３６との距離を一定に保つ機能を果たす。被記録媒体排出手段５は図示しないモータによって回転駆動される排出駆動ローラ４１と、当該排出駆動ローラ４１に接して従動回転する排出従動ローラ４２とを備えて構成されている。
【００３２】
本実施形態において排出駆動ローラ４１はゴムローラによって成されるとともに回転駆動される軸体の軸方向に複数設けられる。また、排出従動ローラ４２は外周に複数の歯を有する歯付きローラによって成されるとともに、主走査方向に長い形状を成す排紙フレームＡｓｓｙ４５に、複数の排出駆動ローラ４１に対応するよう複数設けられる。記録手段３によって記録の行われた用紙Ｐは、排出駆動ローラ４１と排出従動ローラ４２とによってニップされた状態で排出駆動ローラ４１が回転駆動されることにより、装置前方（図示しないスタッカ）へ向けて排出される。  
尚、排紙フレームＡｓｓｙ４５は、排出従動ローラ４２が排出駆動ローラ４１に接する接触ポジションと、排出駆動ローラ４１から離間する離間ポジションと、をとり得るように、図示しないレリース手段によって変位可能に設けられている。
【００３３】
以上がプリンタ１の概要であり、以下、図３乃至図６および、適宜その他の図をも参照しながら、キャリッジ３３をロック状態とするキャリッジロック装置２９について説明する。ここで、図３はキャリッジ３３を背面側から見た外観斜視図、図４はキャリッジロック部材３２のキャリッジガイド軸３４への取付状態を示す斜視図、図５はキャリッジ３３の部分拡大斜視図、図６はキャリッジロック装置２９の正面図である。
【００３４】
図３に示すように、キャリッジ３３の背面側下部には軸受部３３ｃ、３３ｃが形成されていて、キャリッジガイド軸３４が軸受部３３ｃ、３３ｃを軸通することによって、キャリッジ３３がキャリッジガイド軸３４に支持された状態となり、即ち主走査方向に案内される状態となる。
【００３５】
次に、キャリッジ３３は、図１に示すキャリッジ３３の位置即ち往復動領域における右端部（プリンタ１前方側から見て右端）がホームポジションであり、その位置から左側が記録領域となっている。そして、符号３３ａは、略箱形の形状を成すキャリッジ３３においてホームポジション側に臨む側壁を示し、符号３３ｂは、記録領域側に臨む側壁を示している。本発明に係るキャリッジロック装置２９は、ホームポジション側の側壁３３ａと記録領域側の側壁３３ｂとを有するキャリッジ３３において、ホームポジション側の側壁３３ａの側に設けられている。
【００３６】
このキャリッジロック装置２９は、キャリッジ３３において（ホームポジション側の）側壁３３ａの側に設けられた被係止部３３ｄと、キャリッジガイド軸３４の軸端に取り付けられたキャリッジロック部材３２とを備えて構成されている。
【００３７】
被係止部３３ｄは、図５に詳しく示すように軸受部３３ｃに隣接して溝部３３ｅを形成するように設けられている。また、キャリッジロック部材３２は、図４および図６に示すようにリング形の形状を成し、径方向に突出する係止部３２ａと、平面視略Ｄ形の形状を成す嵌合穴３２ｂとを有している。キャリッジガイド軸３４の軸端３４ａは軸方向視において略Ｄ形の形状を成すように切り欠いて形成されており、この軸端３４ａに、キャリッジロック部材３２の嵌合穴３２ｂがちょうど嵌合するようになっている。
【００３８】
そして、キャリッジロック部材３２は、図３に示すようにホームポジション側の軸受部３３ｃに隣接するように配置されるとともに、キャリッジガイド軸３４と一体に回動することで、図５および図６に示すように係止部３２ａが溝部３３ｅに入り込んだ状態と、溝部３３ｅから外れた状態とをとりうる様になっている。
【００３９】
係止部３２ａが溝部３３ｅに入り込んだ状態では、キャリッジ３３がホームポジションから記録領域側へ移動しようとしても、被係止部３３ｄが係止部３２ａによって係止されるので、キャリッジ３３が移動できないロック状態となる。即ち、キャリッジロック部材３２がキャリッジガイド軸３４と一体に回動することで、キャリッジロック部材３２は、係止部３２ａが被係止部３３ｄを係止する係止状態と、係止部３２ａが被係止部３３ｄを係止しない非係止状態とを切り換え可能となる。
【００４０】
尚、図６において符号３２ａ（実線）で示す係止部は、被係止部３３ｄを係止した状態（係止状態）を示しており、符号３２ａ’或いは３２ａ’’（仮想線）で示す係止部は、被係止部３３ｄから外れて被係止部３３ｄを係止しない状態（非係止状態）を示している。上述したギャップ調節手段６０によって、キャリッジガイド軸３４の回動に伴って本実施形態では４段階のＰＧに切り換えるよう構成されていて、この４段階のＰＧは、符号３２ａ’或いは３２ａ’’（仮想線）で示すように係止部３２ａが被係止部３３ｄから外れた領域で実現される。
【００４１】
以上の様に構成されたキャリッジロック装置２９によれば、被係止部３３ｄが、キャリッジ３３においてホームポジション側に臨む側壁３３ａの側に設けられているので、キャリッジロック部材３２をキャリッジ３３の往復動領域の端部或いは外側に配置することができる。従ってこれにより、キャリッジ３３は一旦キャリッジロック部材３２によるロック状態が解除されて記録領域側（図１に示す位置から左側）へ移動してしまえば、その後はキャリッジロック部材３２の存在に関係なく自由に往復動領域内を往復動することができる。従ってこれにより、シーケンスの自由度を向上させることができる。
【００４２】
また、キャリッジ３３に近い位置にキャリッジロック部材３２を配置することができるので、被係止部３３ｄを係止する係止部３２ａを、キャリッジ３３から遠い位置からキャリッジ３３まで延びるように長く形成する必要がなく、係止部３２ａ（キャリッジロック部材３２）の大型化を伴わずに、容易に係止部３２ａ（キャリッジロック部材３２）の強度を確保することができる。
【００４３】
加えて、キャリッジロック部材３２は、上述の通りギャップ調節手段６０を構成する、回動駆動されるキャリッジガイド軸３４に取り付けられ、キャリッジガイド軸３４と一体となって回動することにより、係止部３２ａが被係止部３２ｄを係止する係止状態と、係止部３２ａが被係止部３３ｄを係止しない非係止状態とを切り換えるよう構成されているので、上記ギャップ調節手段６０を利用して、摩擦クラッチ等を必要とせずに極めて低コストにキャリッジロック部材３２を配設することができる。
【００４４】
更に加えて、略Ｄ形の形状を成すキャリッジガイド軸３４の軸端３４ａと、キャリッジロック部材３２の嵌合穴３２ｂとの嵌合によって、キャリッジロック部材３２をキャリッジガイド軸３４に対して回転しないよう固定する（位相を定める）と同時に、キャリッジロック部材３２をキャリッジガイド軸３４の軸線方向に移動しないように、つまりキャリッジ３３をロック状態に保持することができるように、キャリッジロック部材３２をキャリッジガイド軸３４に取り付けることができる。以上により、キャリッジロック装置２９を簡単な構成によって低コストに構成することができる。
【図面の簡単な説明】
【００４５】
【図１】本発明に係るプリンタの装置本体の外観斜視図。
【図２】本発明に係るプリンタの側断面図。
【図３】キャリッジを背面側から見た外観斜視図。
【図４】キャリッジロック部材の取付状態を示す斜視図。
【図５】キャリッジの部分拡大斜視図。
【図６】本発明に係るキャリッジロック装置の正面図。
【図７】ギャップ調節手段の正面図。
【符号の説明】
【００４６】
１  インクジェットプリンタ、２  給紙装置、３  記録手段、４  被記録媒体搬送手段、５  被記録媒体排出手段、７  トレイガイド、１１  ホッパ、１２  給送ローラ、１３  リタードローラ、１４  紙戻しレバー、２３  メインフレーム、２４  紙案内上、２５  コイルばね、２６  ガイドローラ、２９  キャリッジロック装置、３０  搬送駆動ローラ、３１  搬送従動ローラ、３２  キャリッジロック部材、３２ａ  係止部、３２ｂ  嵌合穴、３３  キャリッジ、３３ａ  （ホームポジション側の）側壁、３３ｂ  （記録領域側の）側壁、３３ｃ  軸受部、３３ｄ  被係止部、３４  キャリッジガイド軸、３４ａ  軸端、３５  インクカートリッジ、３６  記録ヘッド、３７  プラテン、４１  排出駆動ローラ、４２  排出従動ローラ、４３  ガイドローラ、４５  排紙フレームＡｓｓｙ、５０  トレイ、Ｄ  光ディスク、Ｐ  記録用紙
【図１】
2006218686.tif 000003
【図２】
2006218686.tif 000004
【図３】
2006218686.tif 000005
【図４】
2006218686.tif 000006
【図５】
2006218686.tif 000007
【図６】
2006218686.tif 000008
【図７】
2006218686.tif 000009